(57)【要約】【課題】ユーザが煩雑な操作を行わなくとも、効率よく迷惑メールの受信拒否を行うことができる携帯通信端末を提供する。【解決手段】抽出部は、選択された２以上の電子メールそれぞれの送信元を示す２以上のメールアドレスに共通して含まれる文字列を抽出し、迷惑メール抑制部は、抽出された前記文字列を受信拒否文字列として設定し、前記受信拒否文字列を含むメールアドレスから送信された電子メールの受信を抑制する。各メールアドレスは、その先頭から、ユーザ名、アットマーク及びドメイン名で構成され、前記ドメイン名は、ピリオドで区切られ、最後尾に位置するトップレベルドメインを含む複数のレベルのドメインで構成されており、抽出部は、各メールアドレスを構成するユーザ名、及び、前記トップレベルドメインを除いた各レベルのドメインを最小の抽出単位として、前記２以上のメールアドレスに共通して含まれる文字列を抽出する。【選択図】図２
2015121984.tif 000002
【特許請求の範囲】
【請求項１】
電子メールを受信する受信部と、
受信した複数の電子メールから２以上の電子メールを選択する選択部と、
選択された前記２以上の電子メールそれぞれの送信元を示す２以上のメールアドレスに共通して含まれる文字列を抽出する抽出部と、
抽出された前記文字列を受信拒否文字列として設定し、前記受信拒否文字列を含むメールアドレスから送信された電子メールの受信を抑制する迷惑メール抑制部とを備え、
各メールアドレスは、その先頭から、ユーザ名、アットマーク及びドメイン名で構成され、前記ドメイン名は、ピリオドで区切られ、最後尾に位置するトップレベルドメインを含む複数のレベルのドメインで構成されており、
前記抽出部は、各メールアドレスを構成するユーザ名、及び、前記トップレベルドメインを除いた各レベルのドメインを最小の抽出単位として、前記２以上のメールアドレスに共通して含まれる文字列を抽出する
ことを特徴とする携帯通信端末。
【請求項２】
前記選択部は、更に、１の電子メールを選択し、
前記抽出部は、更に、選択された前記１の電子メールの送信元を示すメールアドレスと、前記迷惑メール抑制部が設定した前記受信拒否文字列とに共通して含まれる文字列である第２の文字列を抽出し、
前記迷惑メール抑制部は、前記受信拒否文字列の設定を、抽出された前記第２の文字列で更新する
ことを特徴とする請求項１に記載の携帯通信端末。
【請求項３】
前記携帯通信端末は、更に、
前記１のメールアドレスの選択を解除する選択解除部を備え、
前記抽出部は、抽出した前記文字列及び前記第２の文字列を保持する履歴保持部を含み、
前記迷惑メール抑制部は、前記選択解除部により前記１のメールアドレスの選択が解除されると、前記受信拒否文字列の設定を、前記履歴保持部に保持されている前記文字列で更新する
ことを特徴とする請求項２に記載の携帯通信端末。
【請求項４】
前記携帯通信端末は、更に、
受信した複数の電子メールを複数のフォルダに分類して格納するメール記憶部と、
ユーザ操作を受け付ける入力デバイスとを備え、
前記選択部は、ユーザが前記入力デバイスを操作して、保存用のフォルダから迷惑メール指定用のフォルダへ電子メールを移動させた場合に、当該移動させた電子メールを選択し、
前記選択解除部は、ユーザが前記入力デバイスを操作して、前記迷惑メール指定用のフォルダから前記保存用のフォルダへ電子メールを移動させた場合に、当該移動させた電子メールの選択を解除する
ことを特徴とする請求項３に記載の携帯通信端末。
【請求項５】
前記携帯通信端末は、更に、
受信した複数の電子メールを複数のフォルダに分類して格納するメール記憶部と、
抽出された前記文字列と、保存用のフォルダに格納されている電子メールの送信元を示すメールアドレスとを比較し、抽出された前記文字列を含むメールアドレスが存在するか否か判断する保存メール確認部とを備え、
前記迷惑メール抑制部は、抽出された前記文字列を含むメールアドレスが存在すると判断された場合に、当該メールアドレスから送信された電子メールを受信可能に制御する
ことを特徴とする請求項１に記載の携帯通信端末。
【請求項６】
前記迷惑メール抑制部は、
前記受信拒否文字列を含むメールアドレスから送信された電子メールの受信を抑制する制御に優先して、受信許可リストに登録されたメールアドレスから送信された電子メールの受信を許可する制御を行い、
抽出された前記文字列を含むメールアドレスが存在すると判断された場合に、前記メールアドレスを前記受信許可リストに登録することにより、前記メールアドレスから送信された電子メールを受信可能に制御する
ことを特徴とする請求項５に記載の携帯通信端末。
【請求項７】
前記迷惑メール抑制部は、
抽出された前記文字列を含むメールアドレスが存在すると判断された場合に、前記文字列を、前記メールアドレスに含まれていない文字列に修正し、抽出された前記文字列に替えて、修正後の前記文字列を前記受信拒否文字列として設定することにより、前記メールアドレスから送信された電子メールを受信可能に制御する
ことを特徴とする請求項５に記載の携帯通信端末。
【請求項８】
前記携帯通信端末は、更に、
情報を表示する表示デバイスを備え、
前記迷惑メール抑制部は、更に、設定した前記受信拒否文字列を前記表示デバイスに出力する
ことを特徴とする請求項１に記載の携帯通信端末。
【請求項９】
前記携帯通信端末は、指定された条件に基づいて電子メールの転送及び電子メールの破棄を行うメールサーバと接続されており、
前記迷惑メール抑制部は、設定された前記受信拒否文字列を、前記メールサーバへ通知することにより、前記受信拒否文字列を含むメールアドレスから送信された電子メールの受信を抑制する
ことを特徴とする請求項１に記載の携帯通信端末。
【請求項１０】
前記迷惑メール抑制部は、
電子メールを保持しているメールサーバから、前記電子メールの送信元を示すメールアドレスを受信し、受信したメールアドレスに前記受信拒否文字列が含まれる場合には、前記メールサーバへ前記電子メールの送信を要求し、受信した前記メールアドレスに前記受信拒否文字列が含まれる場合には、前記メールサーバへ前記電子メールの送信を要求しないことにより、前記受信拒否文字列を含むメールアドレスから送信された電子メールの受信を抑制する
ことを特徴とする請求項１に記載の携帯通信端末。
【請求項１１】
受信部、選択部、抽出部、及び、迷惑メール抑制部を備える携帯通信端末で用いられる制御方法であって、
前記受信部が、電子メールを受信する受信ステップと、
前記選択部が、受信した複数の電子メールから２以上の電子メールを選択する選択ステップと、
前記抽出部が、選択された前記２以上の電子メールそれぞれの送信元を示す２以上のメールアドレスに共通して含まれる文字列を抽出する抽出ステップと、
前記迷惑メール抑制部が、抽出された前記文字列を受信拒否文字列として設定し、前記受信拒否文字列を含むメールアドレスから送信された電子メールの受信を抑制する迷惑メール抑制ステップとを含み、
各メールアドレスは、その先頭から、ユーザ名、アットマーク及びドメイン名で構成され、前記ドメイン名は、ピリオドで区切られ、最後尾に位置するトップレベルドメインを含む複数のレベルのドメインで構成されており、
前記抽出ステップは、各メールアドレスを構成するユーザ名、及び、前記トップレベルドメインを除いた各レベルのドメインを最小の抽出単位として、前記２以上のメールアドレスに共通して含まれる文字列を抽出する
ことを特徴とする制御方法。
【請求項１２】
携帯通信端末で用いられるコンピュータプログラムであって、
電子メールを受信する受信ステップと、
受信した複数の電子メールから２以上の電子メールを選択する選択ステップと、
選択された前記２以上の電子メールそれぞれの送信元を示す２以上のメールアドレスに共通して含まれる文字列を抽出する抽出ステップと、
抽出された前記文字列を受信拒否文字列として設定し、前記受信拒否文字列を含むメールアドレスから送信された電子メールの受信を抑制する迷惑メール抑制ステップとを前記携帯通信端末に実行させ、
各メールアドレスは、その先頭から、ユーザ名、アットマーク及びドメイン名で構成され、前記ドメイン名は、ピリオドで区切られ、最後尾に位置するトップレベルドメインを含む複数のレベルのドメインで構成されており、
前記抽出ステップは、各メールアドレスを構成するユーザ名、及び、前記トップレベルドメインを除いた各レベルのドメインを最小の抽出単位として、前記２以上のメールアドレスに共通して含まれる文字列を抽出する
ことを特徴とするコンピュータプログラム。
【発明の詳細な説明】
【技術分野】
【０００１】
本発明は、電子メールを受信する機能を有する携帯通信端末に関し、特に、迷惑メール対策の技術に関する。
【背景技術】
【０００２】
今日、膨大な数の迷惑メールが発信されており、有限な無線通信帯域を圧迫している。また、不要な迷惑メールのために多額のパケット通信料を支払わされているユーザもいる。また、迷惑メールが元で、ユーザが詐欺などの犯罪の被害者になってしまう可能性もある。
そこで、各キャリアはユーザから受信拒否の設定を受け付けている。ユーザが指定したメールアドレスや、ユーザが指定したドメイン名を有するメールアドレスから送信されたメールは端末へ送信されずメールサーバで破棄される。
【０００３】
受信拒否の設定方法は、携帯電話機やスマートフォンの操作に不慣れなユーザには判り難い。また、操作に慣れているユーザでも、受信拒否の設定のために、メールアドレスを一文字ずつ入力したり、メールアドレスをコピーアンドペーストしたりする操作は煩雑である。
このような煩雑な操作を行わずに迷惑メールの受信を拒否する技術が特許文献１に開示されている。特許文献１のシステムは、端末側で迷惑メールに係るメールアドレスを選択すると、そのメールアドレスがサーバのリストに掲載される。サーバは、それ以降、そのメールアドレスから発信されたメールを端末へ送信しないので、端末は、迷惑メールの受信を拒否することができる。
【先行技術文献】
【特許文献】
【０００４】
【特許文献１】特開２００３−１４３２３２号公報
【発明の概要】
【発明が解決しようとする課題】
【０００５】
しかしながら、上記の特許文献１の技術を用いたとしても、迷惑メールを受信する都度、ユーザは、そのメールアドレスを選択する操作を行う必要がある。毎日大量に送信されてくる迷惑メールに悩まされているユーザには、より効率よく迷惑メールの受信拒否を行うことができる技術が望まれている。
本発明は、上記の問題点に鑑みなされたものであって、ユーザが煩雑な操作を行わなくとも、効率よく迷惑メールの受信拒否を行うことができる携帯通信端末、制御方法及びコンピュータプログラムを提供することを目的とする。
【課題を解決するための手段】
【０００６】
上記の目的を達成するために、本発明の一態様である携帯通信端末は、電子メールを受信する受信部と、受信した複数の電子メールから２以上の電子メールを選択する選択部と、選択された前記２以上の電子メールそれぞれの送信元を示す２以上のメールアドレスに共通して含まれる文字列を抽出する抽出部と、抽出された前記文字列を受信拒否文字列として設定し、前記受信拒否文字列を含むメールアドレスから送信された電子メールの受信を抑制する迷惑メール抑制部とを備え、各メールアドレスは、その先頭から、ユーザ名、アットマーク及びドメイン名で構成され、前記ドメイン名は、ピリオドで区切られ、最後尾に位置するトップレベルドメインを含む複数のレベルのドメインで構成されており、前記抽出部は、各メールアドレスを構成するユーザ名、及び、前記トップレベルドメインを除いた各レベルのドメインを最小の抽出単位として、前記２以上のメールアドレスに共通して含まれる文字列を抽出することを特徴とする。
【発明の効果】
【０００７】
上記の構成を備えることにより、携帯通信端末は、ユーザに煩雑な操作を要求せずに、効率良く迷惑メールの受信拒否を行うことができる。
【図面の簡単な説明】
【０００８】
【図１】電子メールシステム１の構成図
【図２】携帯電話機１０のブロック図
【図３】電子メールシステム１が実行する迷惑メールフィルタ設定処理のシーケンス図
【図４】指定受信リスト１８０のデータ構成図
【図５】携帯電話機１０が実行する迷惑メールフィルタ設定処理のフローチャート
【図６】電子メールシステム１が実行する電子メール配信処理のシーケンス図
【図７】（ａ）迷惑メールの選択について説明するための図（ｂ）抽出履歴のデータ構成図（ｃ）受信拒否文字列を示す図
【図８】（ａ）迷惑メールの選択について説明するための図（ｂ）抽出履歴のデータ構成図（ｃ）受信拒否文字列を示す図
【図９】（ａ）迷惑メールの選択について説明するための図（ｂ）抽出履歴のデータ構成図（ｃ）受信拒否文字列を示す図
【図１０】（ａ）迷惑メールの選択解除について説明するための図（ｂ）抽出履歴のデータ構成図（ｃ）受信拒否文字列を示す図
【図１１】設定された受信拒否文字列をユーザに通知する変形例について説明するための図
【図１２】電子メールシステム１の変形例が実行する電子メール配信処理のシーケンス図
【発明を実施するための形態】
【０００９】
以下では、本発明の一態様である携帯電話機１０について、図面を参照しながら説明する。
＜１．概要＞
図１は、本発明の一態様である携帯電話機１０を用いた電子メールシステム１の構成図である。同図に示すように、電子メールシステム１は、携帯電話機１０、メールサーバ２０、ゲートウェイサーバ３０及び送信元端末４０から構成される。
【００１０】
携帯電話機１０は、メールサーバ２０に対して、受信拒否文字列の設定および指定受信アドレスの設定を含む迷惑メールフィルタ設定処理を行う。ここで、携帯電話機１０は、受信した電子メールの中から何れかの電子メールを迷惑メールに指定する操作をユーザから受け付けると、指定された電子メールの送信元を示すメールアドレスを基に、受信拒否文字列の設定を行う。
【００１１】
送信元端末４０から携帯電話機１０へ送信された電子メールは、インターネットを経由して、携帯電話網のゲートウェイサーバ３０によって受信される。ゲートウェイサーバ３０は、受信した電子メールのプロトコル変換を行った後、電子メールをメールサーバ２０へ送信する。
メールサーバ２０は、携帯電話機１０によって設定された迷惑メールフィルタの条件に基づき、受信した電子メールの配信可否を判断する。そして、配信可否と判断した場合のみ、メールサーバ２０は、携帯電話機１０へ電子メールを送信する。
【００１２】
＜２．携帯電話機１０の構成＞
図２は、携帯電話機１の内部構成を機能的に示すブロック図である。
同図に示すように、携帯電話機１は、アンテナ１０１、通信制御部１０２、タッチパネル１０３、コントローラ１０４、記憶部１０５、制御部１０６、レシーバ１０７及びマイク１０８から構成される。
【００１３】
携帯電話機１は、図示されていないプロセッサ、半導体メモリを含む。また、携帯電話機１の各機能ブロックは、ハードウェアとして構成されているか、若しくはプロセッサが半導体メモリに記憶されているコンピュータプログラムを実行することで実現される。
通信制御部１０２は、プロセッサが記憶部１０５に記憶されているコンピュータプログラムを実行することにより、アンテナ１０１を介して携帯電話網に接続し、他の電話機、パーソナルコンピュータ、ウェブサーバ、送信元端末４０等との間で、電子メール、音声データ、文字データ、画像データ、位置データ等を送受信する。
【００１４】
タッチパネル１０３は、入力デバイスであるタッチパッド１３１と、表示デバイスであるＬＣＤ（Ｌｉｑｕｉｄ  Ｃｒｙｓｔａｌ  Ｄｓｐｌａｙ）１３２とを含む。
タッチパッド１３１は、静電容量方式や圧電方式等のタッチセンサを含み、ＬＣＤ１３２に重畳して設けられている。タッチパッド１３１は、透明部材で構成され、ＬＣＤ１３２に表示された画像が見えるように構成されている。
【００１５】
ユーザは、タッチパネル１０３を操作することにより、迷惑メールの選択及び迷惑メールの選択解除を行うことができる。これについての詳細は後述する。
コントローラ１０４は、タッチパッド１３１に対するユーザの指等の接触を検出し、検出している間、単位時間（例えば、２５ミリ秒）毎に、その接触位置の座標値（ｘ，ｙ）を制御部１０６に出力する。
【００１６】
記憶部１０５は、半導体メモリであり、プログラム保存用メモリ、作業用メモリ、設定値保存用メモリ、電子メールを保存するためのメール記憶部１５１等を含む。
プログラム保存用メモリには、ＯＳや、電子メール用のアプリケーションプログラムを含む各種のアプリケーションプログラムが保存されている。
メール記憶部１５１は、複数の電子メールをフォルダ毎に管理する。図２に示すように、メール記憶部１５１は、受信した電子メールが格納される受信フォルダ１５２と、送信済みの電子メールが格納される送信済みフォルダ１５３と、ユーザが削除した電子メールが保存されるごみ箱フォルダ１５４と、迷惑メールに指定された電子メールが保存される迷惑メールフォルダ１５５とを含む。
【００１７】
ユーザが電子メール用のアプリケーションプログラムを起動させると、タッチパネル１０３には、上記のフォルダ毎に、各フォルダに格納されている電子メールを一覧表示するための画面が表示される。
ここで、迷惑メールの選択は、タッチパネル１０３に受信フォルダ画面が表示されている状態において、ユーザが一つの電子メールを選択し、選択した電子メールを、迷惑メールフォルダへ移動させる操作を行うことにより行われる。
【００１８】
また、迷惑メールの選択解除は、タッチパネル１０３に迷惑メールフォルダ画面が表示されている状態において、迷惑メールフォルダ１５５に格納された最新の電子メールを、ユーザが受信フォルダへ移動させる操作を行うことにより行われる。
ここで、各電子メールは、メールヘッダとメール本文とから構成される。メールヘッダは、件名、送信元を示すメールアドレス、送信者名、送信先を示すメールアドレス及び送信日時等を含む。メール本文は、メッセージ及び添付ファイルデータを含む。
【００１９】
制御部１０６は、携帯電話機１０の各ブロックと接続されている。制御部１０６は、プロセッサが記憶部１０５に記憶されているコンピュータプログラムを実行することにより、様々な機能を実現し、携帯電話機１０の全体を制御する。本実施形態では、制御部１０６が実現する特徴的な機能の一つである迷惑メールフィルタ設定機能について説明する。なお、迷惑メールフィルタ設定機能は、一例として、プロセッサが電子メール用のアプリケーションプログラムの一部である迷惑メールフィルタ設定プログラムを実行することにより実現される。
【００２０】
図２に示すように、制御部１０６は、迷惑メールフィルタ設定機能に関する構成要素として、抽出部１６１、迷惑メール抑制部１６２及び保存メール確認部１６３を含む。抽出部１６１は、抽出履歴１６４を保持しており、迷惑メール抑制部１６３は、受信拒否文字列１６５を保持している。
抽出部１６１は、迷惑メールが選択される都度、即ち、迷惑メールフォルダ１５５に電子メールが格納される都度、その電子メールのメールアドレスと、迷惑メール抑制部１６２に設定されている受信拒否文字列１６５とに共通して含まれている文字列を抽出する機能を有する。更に、抽出部１６１は、抽出した文字列を、抽出履歴１６４に蓄積して保持する機能を有する。更に、抽出部１６１は、抽出した文字列を、迷惑メール抑制部１６２に通知する機能を有する。
【００２１】
また、抽出部１６１は、迷惑メールの選択が解除されると、即ち、迷惑メールフォルダ１５５に格納された最新の電子メールが受信フォルダ１５２へ戻されると、抽出履歴１６４から、一つ前に抽出された文字列（二番目に新しい文字列）を読み出して、迷惑メール抑制部１６２に通知する機能を有する。
迷惑メール抑制部１６２は、受信拒否文字列１６５を保持し、抽出部１６１から文字列を受け取る都度、受け取った文字列で、受信拒否文字列１６５を上書きして更新する機能を有する。更に、迷惑メール抑制部１６２は、受信拒否文字列１６５が更新される都度、更新後の受信拒否文字列１６５をメールサーバ２０へ送信する機能を有する。
【００２２】
保存メール確認部１６３は、迷惑メール抑制部１６２に保持されている受信拒否文字列１６５が更新される都度、受信フォルダ１５２に保存されている電子メールのメールアドレスを確認し、受信拒否文字列１６５を含むメールアドレスが存在するか否か判断する機能を有する。受信拒否文字列１６５を含むメールアドレスが存在する場合、保存メール確認部１６３は、そのメールアドレスを、指定受信アドレスとして、メールサーバ２０へ送信する機能を有する。
【００２３】
レシーバ１０７は、受話音を出力する機能を有する。マイク１０８は、音を集音する機能を有する。
＜３．動作＞
ここでは、図３〜図６を参照して、電子メールシステム１の動作について説明する。
（１）電子メールシステム１の迷惑メールフィルタ設定処理
図３は、電子メールシステム１が実行する迷惑メールフィルタ設定処理のシーケンス図である。
【００２４】
先ず、携帯電話機１０が、迷惑メールフィルタ設定処理を行い（ステップＳ１）、携帯電話機１０からメールサーバ２０へ、受信拒否文字列と指定受信アドレスとが送信される（ステップＳ２）。メールサーバ２０は、受信拒否文字列と指定受信アドレスとを受信すると、携帯電話機１０の迷惑メールフィルタの条件を更新する（ステップＳ３）。
具体的に、メールサーバ２０は、受信した受信拒否文字列を用いて、それまで記憶していた受信拒否文字列を更新する。また、メールサーバ２０は、図４に示すように、携帯電話機１０が設定した指定受信アドレスを登録した指定受信リスト１８０を保持しており、新たに設定された指定受信アドレスを指定受信リスト１８０に登録する。
【００２５】
（２）携帯電話機１０の迷惑メールフィルタ設定処理
図５は、携帯電話機１０が実行する迷惑メールフィルタ設定処理のフローチャートである。この処理は、図３のステップＳ１の詳細である。
抽出部１６１は、迷惑メールの選択又は迷惑メールの選択解除の操作が行われるまで待機する（ステップＳ１０１でＮＯ、且つ、ステップＳ１１１でＮＯ）。
【００２６】
迷惑メールの選択の操作が行われると（ステップＳ１０１でＹＥＳ）、抽出部１６１は、いま設定されている受信拒否文字列１６５と、ステップＳ１０１で迷惑メールフォルダ１５５に格納された電子メールのメールアドレスとに共通して含まれる文字列を抽出する（ステップＳ１０２）。
抽出部１６１は、抽出した文字列を抽出履歴１６４に蓄積して保持し（ステップＳ１０３）、更に、抽出した文字列を迷惑メール抑制部１６２に通知する。迷惑メール抑制部１６２は、抽出部１６１から受け取った文字列で、それまで設定されていた受信拒否文字列１６５を上書きすることにより、新たな受信拒否文字列１６５を設定する（ステップＳ１０４）。
【００２７】
次に、保存メール確認部１６３は、受信フォルダ１５２に保存されている電子メールのメールアドレスを確認し、ステップＳ１０４で設定された受信拒否文字列１６５を含むメールアドレスが存在するか否か判断する（ステップＳ１０５）。
受信拒否文字列１６５を含むメールアドレスが存在しない場合（ステップＳ１０６でＮＯ）、ステップＳ１０１に戻る。受信拒否文字列１６５を含むメールアドレスが存在する場合（ステップＳ１０６でＹＥＳ）、保存メール確認部１６３は、そのメールアドレスを、指定受信アドレスに設定し（ステップＳ１０７）、ステップＳ１０１に戻る。
【００２８】
迷惑メールの選択解除の操作が行われると（ステップＳ１１１でＹＥＳ）、抽出部１６１は、いま設定されている受信拒否文字列１６５より一つ前に抽出された文字列を、抽出履歴１６４から読み出す（ステップＳ１１２）。そして、抽出部１６１は、読み出した文字列を、迷惑メール抑制部１６２に通知する。
迷惑メール抑制部１６２は、抽出部１６１から受け取った文字列で、それまで設定されていた受信拒否文字列１６５を上書きすることにより、新たな受信拒否文字列１６５を設定する（ステップＳ１１３）。その後、ステップＳ１０１に戻る。
【００２９】
（３）電子メールシステム１の電子メール配信処理
図６は、電子メールシステム１が実行する電子メール配信処理のシーケンス図である。
先ず、メールサーバ２０は、送信元端末４０から送信された携帯電話機１０宛ての電子メールを受信する（ステップＳ１１）。
メールサーバ２０は、受信した電子メールのメールヘッダから送信元端末４０のメールアドレスを抽出し、抽出したメールアドレスが携帯電話機１０の迷惑メールフィルタの条件をクリアしているか否か判断する。
【００３０】
具体的に、メールサーバ２０は、送信元端末４０のメールアドレスが、指定受信リスト１８０に登録されているか否か判断する。送信元端末４０のメールアドレスが、指定受信リスト１８０に登録されている場合には、迷惑メールフィルタの条件をクリアしていると判断する。
送信元端末４０のメールアドレスが、指定受信リスト１８０に登録されていない場合には、メールサーバ２０は、送信元端末４０のメールアドレスに、受信拒否文字列が含まれるか否か判断する。送信元端末４０のメールアドレスに受信拒否文字列が含まれない場合には、迷惑メールフィルタの条件をクリアしていると判断する。
【００３１】
一方、送信元端末４０のメールアドレスが、指定受信リスト１８０に登録されておらず、且つ、送信元端末４０のメールアドレスに、受信拒否文字列が含まれる場合には、迷惑メールフィルタの条件をクリアしていないと判断する。
迷惑メールフィルタの条件をクリアしていない場合（ステップＳ１２でＮＯ）、メールサーバ２０は、ステップＳ１１で受信した電子メールを破棄する（ステップＳ１３）。
【００３２】
迷惑メールフィルタの条件をクリアしている場合（ステップＳ１２でＹＥＳ）、メールサーバ２０は、ステップＳ１１で受信した電子メールを、携帯電話機１０のメールボックスへ格納し（ステップＳ１４）、携帯電話機１０に対し、新着メールの受信を通知する（ステップＳ１５）。
携帯電話機１０はメールサーバ２０から着信通知を受けると、メールサーバ２０へメール受信要求を送信する（ステップＳ１６）。メールサーバ２０は、携帯電話機１０からメール受信要求を受け取ると、メールボックスから電子メールを読み出し（ステップＳ１７）、携帯電話機１０に送信する（ステップＳ１８）。携帯電話機１０は、電子メールを受信して、受信フォルダ１５２に格納する（ステップＳ１９）。
【００３３】
＜４．迷惑メールフィルタ設定処理の具体例＞
ここでは、図７〜図１０を参照しながら、抽出部１６１、迷惑メール抑制部１６２及び保存メール確認部１６３により実行される迷惑メールフィルタ設定処理について具体例を用いて説明する。
先ず、受信拒否文字列及び指定受信アドレスが設定されていない状態から、初めて一つの電子メールが迷惑メールとして選択された場合について説明する。図７（ａ）に示すように、メールアドレスが「info@aaa.meiwaku.mail.jp」である電子メールを、ユーザが受信フォルダ１５２から迷惑メールフォルダ１５５へ移動させることにより、当該電子メールが迷惑メールとして選択される。ここでは、説明の便宜上、各フォルダに格納されている電子メールを、送信元を示すメールアドレスで表している。
【００３４】
このとき、抽出部１６１の抽出履歴１６４には、まだ文字列が保持されていない。また、迷惑メール抑制部１６２の受信拒否文字列１６５には、まだ受信拒否文字列が設定されていない。この場合、抽出部１６１は、メールアドレス「info@aaa.meiwaku.mail.jp」の全体を抽出し、図７（ｂ）に示すように、抽出履歴１６４に抽出した文字列を格納する。そして、抽出部１６１は、抽出した文字列「info@aaa.meiwaku.mail.jp」を、迷惑メール抑制部１６２に通知する。
【００３５】
迷惑メール抑制部１６２は、抽出部１６１から文字列「info@aaa.meiwaku.mail.jp」を受け取り、図７（ｃ）に示すように、受け取った文字列を、受信拒否文字列１６５に設定すると共に、メールサーバ２０へ、受信拒否文字列「info@aaa.meiwaku.mail.jp」を送信する。これ以後、携帯電話機１０は、「info@aaa.meiwaku.mail.jp」を含むメールアドレスから送信された電子メールの受信を拒否することができる。
【００３６】
ここで、メールアドレスが「info@aaa.meiwaku.mail.jp」である電子メールは、受信フォルダ１５２から迷惑メールフォルダ１５５へ移動されたため、受信フォルダ１５２には、受信拒否文字列「info@aaa.meiwaku.mail.jp」を含むメールアドレスは存在しない。そのため、保存メール確認部１６３は、指定受信アドレスの設定は行わない。
続いて、図８（ａ）に示すように、メールアドレスが「hallow@aab.meiwaku.mail.jp」である電子メールが迷惑メールとして選択された場合を考える。
【００３７】
このとき、図７（ｃ）に示したように、迷惑メール抑制部１６２には、受信拒否文字列１６５として、「info@aaa.meiwaku.mail.jp」が設定されている。そこで、抽出部１６１は、いま迷惑メーフォルダ１５５に格納された電子メールの送信元を示すメールアドレスである「hallow@aab.meiwaku.mail.jp」と受信拒否文字列１６５に設定されている「info@aaa.meiwaku.mail.jp」とに共通して含まれる文字列「meiwaku.mail.jp」を抽出する。抽出部１６１は、図８（ｂ）に示すように、抽出した文字列を抽出履歴１６４に格納し、更に、抽出した文字列「meiwaku.mail.jp」を、迷惑メール抑制部１６２に通知する。
【００３８】
迷惑メール抑制部１６２は、抽出部１６１から文字列「meiwaku.mail.jp」を受け取り、図８（ｃ）に示すように、受け取った文字列で、受信拒否文字列１６５を上書きして更新すると共に、メールサーバ２０へ、最新の受信拒否文字列「meiwaku.mail.jp」を送信する。これ以降、携帯電話機１０は、「meiwaku.mail.jp」を含むメールアドレスから送信された電子メールの受信を拒否することができる。
【００３９】
保存メール確認部１６３は、更新された受信拒否文字列「meiwaku.mail.jp」を含むメールアドレスが、受信フォルダ１５２に存在するか否か確認する。「hallow@aab.meiwaku.mail.jp」は、既に迷惑メールフォルダ１５５に移動されているため、受信フォルダ１５２には、「meiwaku.mail.jp」を含むメールアドレスは存在しない。そのため、保存メール確認部１６３は、指定受信アドレスの設定は行わない。
【００４０】
続いて、図９（ａ）に示すように、メールアドレスが「bee@meiwaku.bee.jp」である電子メールが迷惑メールとして選択された場合を考える。
このとき、図８（ｃ）に示したように、迷惑メール抑制部１６２には、受信拒否文字列１６５として、「meiwaku.mail.jp」が設定されている。抽出部１６１は、いま迷惑メーフォルダ１５５に格納された電子メールの送信元を示すメールアドレスである「bee@meiwaku.bee.jp」と受信拒否文字列１６５に設定されている「meiwaku.mail.jp」とに共通して含まれる文字列「meiwaku」を抽出する。そして、抽出部１６１は、図９（ｂ）に示すように、抽出した文字列を抽出履歴１６４に格納し、抽出した文字列「meiwaku」を、迷惑メール抑制部１６２に通知する。
【００４１】
迷惑メール抑制部１６２は、抽出部１６１から文字列「meiwaku」を受け取り、図９（ｃ）に示すように、受け取った文字列で、受信拒否文字列１６５を上書きして更新すると共に、メールサーバ２０へ、最新の受信拒否文字列「meiwaku」を送信する。これ以降、携帯電話機１０は、「meiwaku」を含むメールアドレスから送信された電子メールの受信を拒否することができる。
【００４２】
保存メール確認部１６３は、更新された受信拒否文字列「meiwaku」を含むメールアドレスが、受信フォルダ１５２に存在するか否か確認する。受信フォルダ１５２には、「meiwaku」を含むメールアドレス「meiwakui@dummy.ne.jp」が存在する。いま、「meiwaku」が受信拒否文字列として設定されたため、「meiwakui@dummy.ne.jp」から送信された電子メールが今後受信できなくなる。そこで、保存メール確認部１６３は、メールアドレス「meiwakui@dummy.ne.jp」を指定受信アドレスに設定し、メールサーバ２０へ送信する。これにより、「meiwakui@dummy.ne.jp」から送信された電子メールの受信を継続しつつ、「meiwaku」を含む他のメールアドレスから送信された電子メールの受信を拒否することができる。
【００４３】
このように、迷惑メールと思われる電子メールをユーザが迷惑メールフォルダ１５５へ移動させる操作を行うだけで、携帯電話機１０は、受信拒否文字列を作成して、メールサーバ２０へ送信する。さらに、迷惑メールフォルダ１５５へ電子メールが格納される都度、共通する文字列の抽出が行われるため、徐々に受信拒否できる迷惑メールの数は増加し、効率よく迷惑メールの受信を拒否することができる。
【００４４】
また、従来の迷惑メールの設定操作が面倒なユーザは、すべてのインターネットメールの受信を一律で拒否する設定を行うことがある。この設定を行うことにより、インターネット経由で送信されたすべての電子メールの受信を拒否することができる。
しかしながら、この設定を行った場合、ユーザが必要とする電子メールも受信できなくなる。そこでユーザは、この設定を行った場合、受信する必要があるメールアドレスについては、別途、指定受信アドレスとしてメールサーバに登録する必要がある。この操作は、必要なメールアドレスすべてについて、一文字ずつメールアドレスを入力したり、コピーアンドペーストしたりする必要があるため、ユーザにとっては、かなり煩雑な作業である。
【００４５】
これに対して、携帯電話機１０は、保存メール確認部１６３を有することにより、ユーザがメールアドレスを一文字ずつ入力するなどの煩雑な操作を行うことなく、受信フォルダ１５２に保存されている電子メールについては、その送信元を必要なメールアドレスと見なして、指定受信アドレスとして登録することができる。
ところで、抽出部１６１が、アルファベット一文字単位で共通部分を抽出すると、あらゆるメールアドレスが受信拒否の対象となってしまう可能性がある。そこで、本実施形態の抽出部１６１は、以下のルールに従って、メールアドレスから共通部分を抽出する。
【００４６】
先ず、抽出部１６１は、メールアドレスの先頭から、ユーザ名、アットマーク及びドメイン名に分割する。更に、ドメイン名を、ピリオドで区切られた複数のレベルのサブドメイン名に分割する。
次に、抽出部１６１は、メールアドレスの先頭から、メールアドレスのユーザ名及びサブドメイン名を最小の単位として、比較対象である文字列と共通する部分を抽出する。
【００４７】
このとき、抽出部１６１は、ドメイン名の最後尾に位置するトップレベルドメインについては単独では抽出しない。すなわち、「jp」や「com」等は単独では抽出されない。トップレベルドメインに加え、第２レベルドメインも共通している場合には、「mail.jp」や、「dummy.com」のように、第２レベルドメインとトップレベルドメインとの組み合わせで抽出される。
【００４８】
このようなルールに従って文字列を抽出することにより、携帯電話機１０は、必要な電子メールが受信拒否されることを抑制しながら、迷惑メールの受信を拒否することが可能となる。
また、ユーザが誤って迷惑メールではない電子メールを迷惑メールフォルダ１５５に格納してしまう場合が想定される。このような場合、ユーザは、その電子メールを、迷惑メールフォルダ１５５から受信フォルダ１５２へ戻すことにより、迷惑メールの選択解除を行うことができる。以下、図１０を用いて説明する。
【００４９】
図１０（ａ）に示すように、メールアドレスが「bee@meiwaku.bee.jp」である電子メールが、誤って迷惑メールとして選択されてしまった場合、ユーザは、この電子メールを再度受信フォルダ１５２へ移動させる。
このとき、抽出部１６１の抽出履歴１６４には、図６（ｂ）に示すように、「info@aaa.meiwaku.mail.jp」、「meiwaku.mail.jp」及び「meiwaku」が格納されている。抽出部１６１は、迷惑メール抑制部１６２の受信拒否文字列１６５に設定されている「meiwaku」よりも一つ前に抽出された文字列である「meiwaku.mail.jp」を抽出履歴１６４から読み出して、迷惑メール抑制部１６２へ通知する。
【００５０】
迷惑メール抑制部１６２は、抽出部１６１から文字列「meiwaku.mail.jp」を受け取ると、図１０（ｃ）に示すように、受信拒否文字列１６５を「meiwaku.mail.jp」で上書きして更新し、メールサーバ２０へ、最新の受信拒否文字列「meiwaku.mail.jp」を送信する。
これにより、メールサーバ２０に設定されていた受信拒否文字列「meiwaku」を、一つ前に抽出された文字列である「mwaiku.mail.jp」に戻すことができる。そのため、携帯電話機１０は、今後も「bee@meiwaku.bee.jp」から送信された電子メールを受信することが可能となる。
【００５１】
＜５．その他の変形例＞
以上、本発明の携帯通信端末の一態様である携帯電話機の実施形態を説明したが、例示した携帯電話機を以下のように変形することも可能であり、本発明の携帯通信端末が上述の実施形態で示したとおりの携帯電話機に限られないことは勿論である。
（１）上記の実施形態では、迷惑メールの選択及び迷惑メールの選択解除は、ユーザが、受信フォルダ１５２と迷惑メールフォルダ１５５と間で電子メールを移動させる操作を行うことで実現する構成を有していた。しかし、迷惑メールの選択及び迷惑メールの選択解除の操作はこれに限定されない。ユーザが、今後受信を拒否したいメールアドレスを選択する操作及びその選択を解除する操作であれば足りる。
【００５２】
例えば、ユーザが、受信フォルダ１５２に格納されている一つの電子メールを選択して、迷惑メールフラグを付加する操作を行うことで、迷惑メールの選択を行ってもよい。また、この電子メールから迷惑メールフラグを削除する操作を行うことで、迷惑メールの選択解除を行ってもよい。
（２）上記の実施形態では、抽出部１６１及び迷惑メール抑制部１６２の両方に最新の受信拒否文字列が保持される構成を有していた。しかし、この構成は必須ではない。
【００５３】
例えば、迷惑メール抑制部１６２は、メールサーバ２０に受信拒否文字列を送信した後は、内部に保持している受信拒否文字列を破棄する構成でもよい。抽出部１６１の抽出履歴１６４には、最新の抽出履歴として、メールサーバ２０へ送信された受信拒否文字列と同一の文字列が保持されている。そのため、迷惑メール抑制部１６２が受信拒否文字列を保持することは必須ではない。
【００５４】
（３）上記の実施形態では、保存メール確認部１６３が、指定受信アドレスを抽出する構成を有していた。しかし、保存メール確認部１６３は必須の構成要素ではない。
保存メール確認部１６３を備える代わりに、設定された受信拒否文字列を、ユーザに通知する構成でもよい。例えば、携帯電話機１０は、図１１に示すように、「“meiwaku”が受信拒否文字列に設定されました。今後、“meiwaku”を含むメールアドレスから送信されたメールを受信できなくなります。」のようなメッセージ１７０をタッチパネル１０３に表示する構成でもよい。このように、設定された受信拒否文字列をユーザに通知することにより、保存メール確認部１６３を備えていなくとも、ユーザ自らが、必要なメールアドレスを指定受信アドレスに登録することができる。
【００５５】
また、携帯電話機１０が保存メール確認部１６３を備えている場合であっても、携帯電話機１０は、図１１に示したメッセージ１７０をタッチパネル１０３に表示して、受信拒否文字列をユーザに通知する構成でもよい。
（４）上記の実施形態では、携帯電話機１０は、保存メール確認部１６３により指定受信アドレスの設定を行うことで、ユーザが必要とする電子メールの受信が拒否されることを抑制する構成を有していた。しかし、保存メール確認部１６２は、指定受信アドレスの設定を行う代わりに、迷惑メール抑制部１６２により設定された受信拒否文字列を修正する構成でもよい。
【００５６】
例えば、設定された受信拒否文字列が「meiwaku」の場合であり、受信フォルダ１５２に保存されている友人のメールアドレスが「meiwakui@dummy.ne.jp」である場合、保存メール確認部１６３は、受信拒否文字列を一つ前の「meiwaku.mail.jp」に戻したり、受信拒否文字列として、「meiwaku.mail.jp」及び「@meiwaku」の二つを設定したりすることにより、ユーザが必要とする電子メールの受信が拒否されることを抑制することができる。
【００５７】
このように、保存メール確認部１６３は、何らかの方法により、ユーザが必要とする電子メールの受信が拒否されることを抑制する機能を有していれば足りる。
（５）上記の実施形態では、抽出部１６１は、トップレベルドメインについては、単独で抽出する対象から除外する構成を有していた。しかし、上記の実施形態で説明した文字列抽出のルールは一例である。例えば、抽出部１６１は、第２レベルドメインとトップレベルドメインとの組み合わせについても、単独で抽出する対象から除外する構成でもよい。なお、第２レベルドメインは、トップレベルドメインのサブドメインである。これにより、「co.jp」及び「ne.jp」なども単独で抽出されることがないので、携帯電話機１０は、必要な電子メールが受信拒否されることを抑制しながら、迷惑メールの受信を拒否することが可能となる。
【００５８】
また、どのような単位で文字列の抽出を行うのか、ユーザが選択する構成でもよい。
（６）上記の実施形態で説明した携帯電話機１０は、入力デバイスと表示デバイスとが一体化したタッチパネル１０３を備えた、所謂スマートフォンを具体例に用いて説明した。しかし、携帯電話機１０はスマートフォンに限定されないのは勿論である。携帯電話機１０は、入力デバイスとしてキーパッドを用いた従来型の多機能携帯電話機（所謂フィーチャーフォン）でもよい。
【００５９】
更には、本発明に係る携帯通信端末は、携帯電話機に限定されない。本発明に係る携帯通信端末は、少なくとも、電子メールを受信する機能を有する携帯型の端末であれば足りる。例えば、本発明に係る携帯通信端末は、タブレット型端末、ＰＤＡ（Ｐｅｒｓｏｎａｌ  Ｄｉｇｉｔａｌ  Ａｓｓｉｓｔａｎｔ）、携帯型ゲーム機等でもよい。
（７）上記の実施形態では、携帯電話機１０の迷惑メール抑制部１６２が、迷惑メールフィルタの設定をメールサーバ２０へ送信し、メールサーバ２０が、受信した迷惑メールフィルタの設定に基づき、電子メールの配信可否を判断する機能を有していた。
【００６０】
しかし、携帯電話機１０の迷惑メール抑制部１６２は、迷惑メールフィルタの設定をメールサーバ２０へ送信する代わりに、迷惑メールフィルタの設定を自機の記憶部１０５に保持しておき、設定されている条件を用いて、自ら電子メールの受信可否を判断する機能を有していてもよい。
図１２は、この場合における、電子メールシステム１が実行する電子メール配信処理のシーケンス図である。
【００６１】
先ず、メールサーバ２０は、送信元端末４０から送信された携帯電話機１０宛ての電子メールを受信する（ステップＳ２０１）。メールサーバ２０は、受信した電子メールを、携帯電話機１０のメールボックスへ格納し（ステップＳ２０２）、携帯電話機１０に対し、新着メールの受信を通知する（ステップＳ２０３）。
携帯電話機１０はメールサーバ２０から着信通知を受けると、メールサーバ２０へメールヘッダの受信要求を送信する（ステップＳ２０４）。メールサーバ２０は、携帯電話機１０からメールヘッダの受信要求を受け取ると、メールボックスから電子メールのメールヘッダを読み出し（ステップＳ２０５）、携帯電話機１０に送信する（ステップＳ２０６）。
【００６２】
上述したように、メールヘッダには電子メールの送信元を示すメールアドレスが含まれている。そこで、携帯電話機１０の迷惑メール抑制部１６２は、取得したメールアドレスが迷惑メールフィルタの条件をクリアしているか否か判断する。
具体的に、迷惑メール抑制部１６２は、送信元端末４０のメールアドレスが、記憶部１０５に保持されている指定受信リスト１８０に登録されているか否か判断する。送信元端末４０のメールアドレスが、指定受信リスト１８０に登録されている場合には、迷惑メールフィルタの条件をクリアしていると判断する。
【００６３】
送信元端末４０のメールアドレスが、指定受信リスト１８０に登録されていない場合には、迷惑メール抑制部１６２は、送信元端末４０のメールアドレスに、受信拒否文字列が含まれるか否か判断する。送信元端末４０のメールアドレスに受信拒否文字列が含まれない場合には、迷惑メールフィルタの条件をクリアしている判断する。
一方、送信元端末４０のメールアドレスが、指定受信リスト１８０に登録されておらず、且つ、送信元端末４０のメールアドレスに、受信拒否文字列が含まれる場合には、迷惑メールフィルタの条件をクリアしていないと判断する。
【００６４】
迷惑メールフィルタの条件をクリアしていない場合（ステップＳ２０７でＮＯ）、迷惑メール抑制部１６２は、メールサーバ２０へステップＳ２０１で受信した電子メールの削除要求を送信する（ステップＳ２２１）。
迷惑メールフィルタの条件をクリアしている場合（ステップＳ２０７でＹＥＳ）、迷惑メール抑制部１６２は、メールサーバ２０へメール本文の受信要求を送信する（ステップＳ２０８）。メールサーバ２０は、携帯電話機１０からメール本文の受信要求を受け取ると、メールボックスから電子メールのメール本文を読み出し（ステップＳ２０９）、携帯電話機１０に送信する（ステップＳ２１０）。携帯電話機１０は、メールサーバ２０からメール本文を受信すると、受信フォルダ１５２に格納する（ステップＳ２１１）。
【００６５】
メールサーバ２０は、携帯電話機１０から削除要求を受信すると、メールボックスに格納されている電子メールを削除する（ステップＳ２２２）。
このように、携帯電話機１０は、自機で電子メールの受信可否を判断する機能を有していてもよい。
（８）上記の実施形態では、迷惑メールの選択は、ユーザが、受信フォルダ１５２から迷惑メールフォルダ１５５へ電子メールを移動させる操作を行うことで実現する構成を有していた。しかし、携帯電話機１０は、ユーザ操作を受け付けることなく迷惑メールの選択を行う構成でもよい。
【００６６】
例えば、携帯電話機１０は、受信した電子メールのメールアドレスやメール本文の内容等に基づき、当該電子メールが迷惑メールであるか否か判断し、迷惑メールであると判断する場合には、当該電子メールを迷惑メールフォルダ１５５に格納する機能を有していてもよい。
この場合も、抽出部１６１、迷惑メール抑制部及び保存メール確認部１６３は、迷惑メールフォルダ１５５に電子メールが格納されたことをトリガとして、上記の実施形態で説明した、受信拒否文字列の設定及び指定受信アドレスの設定を行うこととする。
【００６７】
また、受信した電子メールのメールアドレスやメール本文の内容等に基づき、当該電子メールが迷惑メールであるか否か判断する機能をメールサーバ２０が備えていてもよい。この場合、メールサーバ２０は、受信した電子メールが迷惑メールであると判断する場合には、当該電子メールに迷惑メールフラグを付加して携帯電話機１０へ送信する。携帯電話機１０は、迷惑メールフラグが付加された電子メールを受信すると、その電子メールを受信フォルダ１５２ではなく、迷惑メールフォルダ１５５へ格納するように構成してもよい。
【００６８】
（９）上記の実施形態及び変形例で示した携帯電話機による処理（図３、図５、図６及び図１２等）を、携帯電話機のプロセッサ、及びそのプロセッサに接続された各種回路に実行させるための機械語或いは高級言語のプログラムコードからなる制御プログラムを、記録媒体に記録すること、又は各種通信路等を介して流通させ頒布することもできる。このような記録媒体には、ＩＣカード、ハードディスク、光ディスク、フレキシブルディスク、フラッシュメモリの様な不揮発性メモリ等がある。流通、頒布された制御プログラムはプロセッサに読み出され得るメモリ等に格納されることにより利用に供され、そのプロセッサがその制御プログラムを実行することにより実施形態で示したような機能が実現されるようになる。なお、プロセッサは、制御プログラムを直接実行する他、コンパイルして実行或いはインタプリタにより実行してもよい。
【００６９】
（１０）上記の実施形態で示した各機能構成要素（通信制御部１０２、コントローラ１０４、制御部１０６、抽出部１６１、迷惑メール抑制部１６２及び保存メール確認部１６３等）は、その機能を実行する回路として実現されてもよいし、１又は複数のプロセッサによりプログラムを実行することで実現されてもよい。また、実施形態で示した携帯電話機１０は、ＩＣ、ＬＳＩその他の集積回路のパッケージとして構成されるものとしてもよい。このパッケージは各種装置に組み込まれて利用に供され、これにより携帯電話機１０は、実施形態で示したような各機能を実現するようになる。
【００７０】
（１１）上記の実施形態と上記の変形例とを適宜組み合わせてもよい。
【産業上の利用可能性】
【００７１】
本発明は、携帯電話機を製造及び販売する産業や、携帯電話サービスを提供する産業において、迷惑メール受信拒否の条件を設定する技術として有用である。
【符号の説明】
【００７２】
１        電子メールシステム
１０      携帯電話機
２０      メールサーバ
３０      ゲートウェイサーバ
４０      送信元端末
１０１    アンテナ
１０２    通信制御部
１０３    タッチパネル
１０４    コントローラ
１０５    記憶部
１５１    メール記憶部
１０６    制御部
１６１    抽出部
１６２    迷惑メール抑制部
１６３    保存メール確認部
１０７    レシーバ
１０８    マイク
【図１】
2015121984.tif 000003
【図２】
2015121984.tif 000004
【図３】
2015121984.tif 000005
【図４】
2015121984.tif 000006
【図５】
2015121984.tif 000007
【図６】
2015121984.tif 000008
【図７】
2015121984.tif 000009
【図８】
2015121984.tif 000010
【図９】
2015121984.tif 000011
【図１０】
2015121984.tif 000012
【図１１】
2015121984.tif 000013
【図１２】
2015121984.tif 000014